(57)【要約】【課題】特定のサーバー等を必要とせず、コストもかからず、簡単に、高画質な画像データのような大容量のファイルを特定のユーザー間で送受信することができる。【解決手段】本発明の映像送受信システムでは、映像送受信機器１は、接続手段２と、画像蓄積３と、送信相手の機器に自機器を認識させるための特殊なファイルを生成するアクセス用特殊ファイル発行部５と、送受信時に使用する送受信用のキーコードを発行する送受信用キーコード発行部１１と、送信相手の機器を特定するために、送信相手の機器より受け取っている特殊ファイル及び送受信用のキーコードを外部からは参照することのできないように保存する送信先特殊ファイル保存６と、送信相手の機器が、自機器を認識するために、あらかじめ送信相手の機器に通知してある特殊ファイルを外部より参照のみが可能なように保存しておく送信先特殊ファイル保存手段７と、制御部１５とを備えた。【選択図】図２
2007124532.tif 000002
【特許請求の範囲】
【請求項１】
ネットワークに接続される任意の映像送受信機器間において上記ネットワークを介して画像の転送を行う映像送受信システムであって、
上記映像送受信機器は、
画像転送を行うための高速通信が行えるインターネットを介して、送信相手の映像送受信機器と自映像送受信機器間をお互いに変動するアドレスにて接続ができる接続手段と、
送信するための画像データ及び受信した画像データを蓄えておくための画像蓄積手段と、
上記送信相手の映像送受信機器に上記自映像送受信機器を認識させるための特殊なファイルを生成するアクセス用特殊ファイル発行手段と、
送受信時に使用する送受信用のキーコードを発行する送受信用キーコード発行手段と、
上記送信相手の映像送受信機器を特定するために、上記送信相手の映像送受信機器より受け取っている特殊ファイル及び送受信用のキーコードを外部からは参照することのできないように保存する第１の送信先特殊ファイル保存手段と、
上記送信相手の映像送受信機器が、上記自映像送受信機器を認識するために、あらかじめ上記送信相手の映像送受信機器に通知してある特殊ファイルを外部より参照のみが可能なように保存しておく第２の送信先特殊ファイル保存手段と、
上記接続手段、上記画像蓄積手段、上記アクセス用特殊ファイル発行手段、上記送受信用キーコード発行手段、上記第１の送信先特殊ファイル保存手段及び上記第２の送信先特殊ファイル保存手段を制御して画像転送を行う制御手段と
を備えたことを特徴とする映像送受信システム。
【請求項２】
１回の通信の終了毎に上記特殊ファイル及び上記キーコードを更新することを特徴とした請求項１に記載の映像送受信システム。
【請求項３】
ネットワークに接続される映像送受信機器間において上記ネットワークを介して画像の転送を行う映像送受信機器であって、
画像転送を行うための高速通信が行えるインターネットを介して、送信相手の映像送受信機器と自映像送受信機器間をお互いに変動するアドレスにて接続ができる接続手段と、
送信するための画像データ及び受信した画像データを蓄えておくための画像蓄積手段と、
上記送信相手の映像送受信機器に上記自映像送受信機器を認識させるための特殊なファイルを生成するアクセス用特殊ファイル発行手段と、
送受信時に使用する送受信用のキーコードを発行する送受信用キーコード発行手段と、
上記送信相手の映像送受信機器を特定するために、上記送信相手の映像送受信機器より受け取っている特殊ファイル及び送受信用のキーコードを外部からは参照することのできないように保存しておく第１の送信先特殊ファイル保存手段と、
上記送信相手の映像送受信機器が、上記自映像送受信機器を認識するために、あらかじめ上記送信相手の映像送受信機器に通知してある特殊ファイルを外部より参照のみが可能なように保存しておく第２の送信先特殊ファイル保存手段と、
上記接続手段、上記画像蓄積手段、上記アクセス用特殊ファイル発行手段、上記送受信用キーコード発行手段、上記第１の送信先特殊ファイル保存手段及び上記第２の送信先特殊ファイル保存手段を制御して画像転送を行う制御手段と
を備えたことを特徴とした映像送受信機器。
【請求項４】
１回の通信の終了毎に上記特殊ファイル及び上記キーコードを更新することを特徴とした請求項３に記載の映像送受信機器。
【請求項５】
ネットワークに接続される映像送受信機器間において上記ネットワークを介して画像の転送を行う画像送受信方法であって、
画像転送を行うための高速通信が行えるインターネットを介して、送信相手の映像送受信機器と自映像送受信機器間をお互いに変動するアドレスにて接続するステップと、
送信するための画像データ及び受信した画像データを蓄えておくステップと、
上記送信相手の映像送受信機器に上記自映像送受信機器を認識させるための特殊なファイルを生成するステップと、
送受信時に使用する送受信用のキーコードを発行するステップと、
上記送信相手の映像送受信機器を特定するために、上記送信相手の映像送受信機器より受け取っている特殊ファイル及び送受信用のキーコードを外部からは参照することのできないように保存するステップと、
上記送信相手の映像送受信機器が、上記自映像送受信機器を認識するために、あらかじめ上記送信相手の映像送受信機器に通知してある特殊ファイルを外部より参照のみが可能なように保存しておくステップと、
を含むことを特徴とした画像送受信方法。
【請求項６】
１回の通信の終了毎に上記特殊ファイル及び上記キーコードを更新することを特徴とした請求項５に記載の画像送受信方法。
【発明の詳細な説明】
【技術分野】
【０００１】
本発明は、ネットワークに接続される映像送受信機器間においてネットワークを介して画像の転送を行う映像送受信システム、映像送受信機器及び画像送受信方法に関する。
【背景技術】
【０００２】
近年、インターネットの普及、及びブロードバンド化に伴い、各家庭でもインターネット経由でさまざまなコンテンツを家に居ながらにして入手できるようになってきた。また、家庭で専用チューナーを装備することにより、ＣＳ（communication satellite）等の衛星放送を介して、さまざまな放送方式のソースを高画質な映像で視聴することがすることが、簡単に実現可能となってきている。
【０００３】
一方、個人で撮影された画像の場合は、各家庭には、デジタルビデオカメラ、ＤＶＤ（digital versatile disc）ビデオカメラ、さらに最近ではハードディスクを用いたビデオカメラにより撮影された画像を、高画質で気軽に観賞することができる環境になってきている。また、家庭での視聴環境も、大型テレビに画像を録画したハードディスクレコーダー、ＤＶＤレコーダー等を接続して、気軽にそれらを再生できる環境が整ってきている。
【０００４】
しかし、上述したビデオカメラを用いて個人で撮った画像を各自で観賞する際にはあまり問題がないが、他人にこの画像を見せる場合は、画像をビデオテープ又はＤＶＤなどの記録媒体にダビングして渡さなければならなかった。特に、記録媒体を渡したい送信相手の映像送受信機器が複数いる場合には、何回もダビングしたり、何本ものＤＶＤやビデオテープなどの記録媒体を用意しなければならなかった。まして、遠く離れた知人に送る場合など、ダビングした記録媒体を郵送する必要があるため、時間、手間及びコストもかかって、画像を見せたいときにすぐに、手軽に見せることができなかった。
【０００５】
上述したように、最近のインターネットの普及に伴い、各家庭のブロードバンド化が進んでいる。これを利用して、ファイルを転送すれば、遠く離れた場所に居る複数の送信相手の映像送受信機器とも、手軽に画像を共有することが可能である。
現状では、画像ファイルを転送しようとした場合は、手軽な方法として、携帯電話やパーソナルコンピュータなどを用いて電子メールに画像を添付して送る方法がある。
【０００６】
また、直接、画像データを送りたい送信相手の映像送受信機器にインターネット経由で画像データファイルを転送できれば簡単にファイルを送ることができる。ただ、その場合、現状のＡＤＳＬ、光通信等の各社プロバイダーより提供されている家庭向けのインターネット接続サービスでは、各端末を特定するためのＩＰアドレスは、固定されたものではなく接続するたびに変動するという問題があった。このため、送信時に、送信相手の映像送受信機器のＩＰアドレスを確認して、そのアドレスに対して送信をおこなわなければならなかった。
【０００７】
送信相手の映像送受信機器のＩＰアドレスを、送信相手の映像送受信機器に、送信の度に確認して、配信先アドレスを設定して行うことは非常に手間のかかる、また一般のユーザーにとっては、自映像送受信機器のＩＰアドレスを調べることは結構困難である。上記のように変動するＩＰを知る方法として、サーバーと契約し、画像配信時に、サーバーにアクセスして、アクセスキーを発行してもらい、アクセスキーを受信者に通知する。実際にデータを配信するときは、受信者がアクセスキーを使用してサーバーにアクセスして、サーバーより配信者のＩＰアドレスを入手し、配信者のＩＰアドレスにより、直接配信者に配信要求をするという技術が提案されている（特許文献１参照）。
【０００８】
また、特定の送信相手の映像送受信機器に対して画像を配信する方法に関して、携帯電話を介して音声の通信回線を接続するとともに、インターネットを介して送信相手の映像送受信機器のターミナルアダプタのＩＰアドレスにアクセスして、画像データを通信する技術が提案されている（特許文献２参照）。
【特許文献１】特開2003-153241号公報
【特許文献２】特開平11-234642号公報
【発明の開示】
【発明が解決しようとする課題】
【０００９】
しかし、上述した電子メールに画像を添付して送る方法では、サイズの大きな動画データなどは送ることはできない。サイズの大きな動画データのような画像を無理に電子メールに添付して送る場合には、画質の劣化を覚悟した上で、画像を圧縮して送るなどの方法を用いなければならない。このように画像を圧縮した場合でも、例えば映画等の長時間の画像を転送することは困難であった。
【００１０】
また、ＩＰアドレスに直接アクセスする方法では、画像を転送するという目的は達成できるが、まず、アクセスキーを発行してくれるサーバーが必要になること、さらに、受信者側で、受信のたびに、サーバーにアクセスしに行かないと行けないなどの処理が複雑である。
【００１１】
また、固定したＩＰアドレスをもつサーバー等があれば、そこにデータを保存しておいて受信者はサーバーから各自データを読み出すという方法もあるが、この方法も、サーバーが必要になるため、コスト的に割高になる。また、サーバーの能力によっては、契約クライアントによるアクセスが集中した場合などの不具合が生じる。
【００１２】
また、携帯電話を介して音声を通信し、インターネットを介して送信相手の映像送受信機器のターミナルアダプタのＩＰアドレスにアクセスして画像データを通信する方法では、テレビ電話の機能のみであるため、多数のユーザーに画像を配信することができなかった。
【００１３】
そこで、本発明の目的は、特定のサーバー等を必要とすることなく、しかも簡単にかつコストがかからない方法で、高画質な画像データのような大容量のファイルを特定のユーザー間で送受信することができる映像送受信システム、映像送受信機器及び画像送受信方法を提供するである。
【課題を解決するための手段】
【００１４】
上記課題を解決し、本発明の目的を達成するため、本発明の映像送受信システムでは、映像送受信機器は、画像転送を行うための高速通信が行えるインターネットを介して、送信相手の映像送受信機器と自映像送受信機器間をお互いに変動するアドレスにて接続ができる接続手段と、送信するための画像データ及び受信した画像データを蓄えておくための画像蓄積手段と、送信相手の映像送受信機器に自映像送受信機器を認識させるための特殊なファイルを生成するアクセス用特殊ファイル発行手段と、送受信時に使用する送受信用のキーコードを発行する送受信用キーコード発行手段と、送信相手の映像送受信機器を特定するために、送信相手の映像送受信機器より受け取っている特殊ファイル及び送受信用のキーコードを外部からは参照することのできないように保存する第１の送信先特殊ファイル保存手段と、送信相手の映像送受信機器が、自映像送受信機器を認識するために、あらかじめ送信相手の映像送受信機器に通知してある特殊ファイルを外部より参照のみが可能なように保存しておく第２の送信先特殊ファイル保存手段と、接続手段、画像蓄積手段、アクセス用特殊ファイル発行手段、送受信用キーコード発行手段、第１の送信先特殊ファイル保存手段及び第２の送信先特殊ファイル保存手段を制御して画像転送を行う制御手段とを備えたものである。
【００１５】
これにより、画像転送を行う送信相手の映像送受信機器との間で、アクセス用特殊ファイル発行手段により生成されたお互いを認識できるユニークなファイル名を持つファイルを交換し、インターネット上より参照のみが可能な第２の送信先特殊ファイル保存手段に、そのファイルを保存しておく。従って、お互いが通信したいときに特殊ファイルによりお互いを認識でき、簡単に、特定のサーバー等を必要としないためコストもかからず、高画質な画像データのような大容量のファイルの送受信が実現できる。また、ファイル転送を行う際には、あらかじめお互いに送受信用キーコード発行手段により発行しておいた送受信時に使用するためのアクセスキーを用いることで、誤配信や、不正なアクセスにも対応することができる。
【００１６】
また、本発明の画像送受信方法は、画像転送を行うための高速通信が行えるインターネットを介して、送信相手の映像送受信機器と自映像送受信機器間をお互いに変動するアドレスにて接続するステップと、送信するための画像データ及び受信した画像データを蓄えておくステップと、送信相手の映像送受信機器に自映像送受信機器を認識させるための特殊なファイルを生成するステップと、送受信時に使用する送受信用のキーコードを発行するステップと、送信相手の映像送受信機器を特定するために、送信相手の映像送受信機器より受け取っている特殊ファイル及び送受信用のキーコードを外部からは参照することのできないように保存するステップと、送信相手の映像送受信機器が、自映像送受信機器を認識するために、あらかじめ送信相手の映像送受信機器に通知してある特殊ファイルを外部より参照のみが可能なように保存しておくステップと、を含むものである。
【００１７】
これにより、画像転送を行う送信相手の映像送受信機器との間で、お互いを認識できるユニークなファイル名を持つファイルを交換し、インターネット上より参照のみが可能なように、そのファイルを保存しておく。従って、お互いが通信したいときにお互いを認識でき、簡単に、特定のサーバー等を必要としないためコストもかからず、高画質な画像データのような大容量のファイルの送受信が実現できる。また、ファイル転送を行う際には、あらかじめお互いに発行しておいた送受信時に使用するためのアクセスキーを用いることで、誤配信や、不正なアクセスにも対応することができる。
【発明の効果】
【００１８】
本発明によれば、お互いを認識できるユニークなファイル名を持つファイルを用いることにより簡単な構成と処理によって、高画質な画像データのような大容量のファイルの送受信を実現することができる。また、特定のサーバー等を必要としないため、サーバー利用の為のコストも必要とされない。さらに、送受信時に用いるアクセスキーによりユーザーを特定することができ、誤配信や、不正なアクセスを防ぐことができるという効果も奏する。
【発明を実施するための最良の形態】
【００１９】
以下、本発明の実施の形態について、適宜、図面を参照しながら説明する。
図１は、本実施の形態による映像送受信システムの構成を示す図である。
図１に示すようにインターネット１３上に、画像を送受信することができる映像送受信機器１Ａ、１Ｂが接続されている。
具体的には、図１において、この映像送受信システムでは、まず映像送受信機器１Ａと、映像送受信機器１Ｂがインターネット接続業者であるプロバイダーを介して接続手段２Ａ、２Ｂによりインターネット回線１３にお互いに変動するアドレスにて接続されている。
【００２０】
この映像送受信機器１Ａと映像送受信機器１Ｂは同様の構造になっているが、この例では、映像送受信機器１Ａを送信側、映像送受信機器１Ｂを受信側として説明する。この映像送受信機器１Ａ、映像送受信機器１Ｂには、それぞれ、送信画像データ及び受信画像データを蓄えておくための画像蓄積部３Ａ、３Ｂが設けられている。
【００２１】
また、この映像送受信機器１Ａ、映像送受信機器１Ｂには、それぞれ、送信相手の映像送受信機器に自映像送受信機器を認識させるための特殊なファイルを生成するアクセス用特殊ファイル発行部５Ａ、５Ｂ、送受信時に使用する送受信用のキーコードを発行する送受信用キーコード発行部１１Ａ、１１Ｂが設けられている。
【００２２】
また、この映像送受信機器１Ａ、映像送受信機器１Ｂには、それぞれ、送信相手の映像送受信機器を特定するために、送信相手の映像送受信機器より受け取っている特殊ファイルを外部からは参照することのできないように保存しておく送信先特殊ファイル保存部Ａ６Ａ、６Ｂ、送信相手の映像送受信機器が、自映像送受信機器を認識するために、あらかじめ送信相手の映像送受信機器に通知してある特殊ファイルを外部より参照のみが可能なように保存しておく送信先特殊ファイル保存部Ｂ７Ａ、７Ｂとを備えている。
これにより、例えば、映像送受信機器１Ａは、映像送受信機器１Ｂとのでインターネット１３を介して画像を送受信することができる構成となっている。
【００２３】
図２は本実施の形態の映像送受信機器の構成を示すブロック図である。
図２において、この映像送受信機器１は、送信用の画像データ及び、受信した画像データ３ａ、３ｂを蓄積しておくための画像蓄積部３と、画像蓄積部３へ送信する画像データ３ａ、３ｂを取り込むようにするとともに、受信した画像データ３ａ、３ｂを外部へ出力するための画像入出力部８と、画像を送受信するためにインターネット接続業者であるプロバイダーを介してインターネット回線へ接続するための接続手段２を備えていて、この接続手段２を介して、図１に示したインターネット回線１３へ接続している。
【００２４】
また、この映像送受信機器１は、画像送信時に送信する画像データと送信相手の映像送受信機器を選択的に決定するための入力キー９及び画像を表示する表示部１０と、画像送受信時に上記入力キー９より選択された送信画像データ及び受信画像データの著作権情報を監視するための著作権監視部１２とを備えている。
【００２５】
また、この映像送受信機器１は、送信相手の映像送受信機器に自映像送受信機器を認識させるための特殊なファイルを生成するアクセス用特殊ファイル発行部５と、送受信時に使用する送受信用のキーコードを発行する送受信用キーコード発行部１１が設けられている。
【００２６】
また、この映像送受信機器１は、送信相手の映像送受信機器を特定するために、送信相手の映像送受信機器より受け取っている特殊ファイルを外部からは参照することのできないように保存しておく送信先特殊ファイル保存部Ａ６と、送信相手の映像送受信機器が、自映像送受信機器を認識するために、あらかじめ送信相手の映像送受信機器に通知してある特殊ファイルを外部より参照のみが可能なように保存しておく送信先特殊ファイル保存部Ｂ７と、バス１４を介して各部のコントロールを行う制御部（ＣＰＵ（Central Processing Unit））１５と、を備えている。
【００２７】
従って、アクセス用特殊ファイル発行部５により生成される特殊なファイルにより送信相手の映像送受信機器に自映像送受信機器を認識させることができるとともに、送受信用キーコード発行部１１により発行されるキーコードにより不正なアクセスを防ぐことができる。
【００２８】
このように構成された映像送受信機器の動作を以下に説明する。
図３は、画像データの送信処理を示すフローチャートである。図４は、画像データの受信処理を示すフローチャートである。図３及び図４を用いて、実際に画像を送受信する際の手順を説明する。
【００２９】
まず画像データを送るためにお互いを認識するための準備を行う。
図３において、送信者Ａの映像送受信機器は、ユニークなファイル名を持つ特殊ファイルａをアクセス用特殊ファイル発行部５Ａにより作成し、送信時に送信相手の映像送受信機器を確認するために使う送受信用キーコードａ１を、送受信用キーコード発行部１１Ａにて作成する。
【００３０】
そして、送信者Ａの映像送受信機器は、特殊ファイルａ及び送受信用キーコードａ１の両方を送受信先特殊ファイル保存部Ａ（６Ａ）に受信者Ｂの映像送受信機器と関連付けて保存し、特殊ファイルａは送受信先特殊ファイル保存部Ｂ（７Ａ）にも保存する。これと同時に送信者Ａの映像送受信機器は、受信者Ｂの映像送受信機器に電子メールなどを利用して特殊ファイルａ及び送受信用キーコードａ１を知らせる（ステップＳ１００Ａ）。
【００３１】
図４において、ステップＳ１００Ａで送信者Ａの映像送受信機器から送信された受信者Ｂの映像送受信機器は特殊ファイルａと送受信用キーコードａ１を受け取り、送信先特殊ファイル保存部Ａ（６Ｂ）に、送信者Ａの映像送受信機器と関連付けて保存し、特殊ファイルａは送受信先特殊ファイル保存部Ｂ（７Ｂ）にも保存する（ステップＳ１００Ｂ）。
【００３２】
次に、受信者Ｂの映像送受信機器は、送信者Ａの映像送受信機器と同様にユニークなファイル名を持つ特殊ファイルｂをアクセス用特殊ファイル発行部５Ｂにより作成し、受信時に送信相手の映像送受信機器を確認するために使う送受信用キーコードｂ１を、送受信用キーコード発行部１１Ｂにて作成する。そして、受信者Ｂの映像送受信機器は、その特殊ファイルｂ及び送受信用キーコードｂ１の両方を送受信先特殊ファイル保存部Ａ（６Ｂ）に送信者Ａと関連付けて保存し、特殊ファイルｂは送受信先特殊ファイル保存部Ｂ（７Ｂ）にも保存する。これと同時に受信者Ｂの映像送受信機器は、送信者Ａの映像送受信機器に電子メールなどを利用して特殊ファイルｂ及び送受信用キーコードｂ１を知らせる（ステップＳ１０１Ｂ）。
【００３３】
図３に戻って、送信者Ａの映像送受信機器は、ステップＳ１０１Ｂにより受信者Ｂの映像送受信機器から受け取った特殊ファイルｂと送受信用キーコードｂ１を送信先特殊ファイル保存部Ａ（６Ａ）に、受信者Ｂの映像送受信機器と関連付けて保存し、特殊ファイルｂは送受信先特殊ファイル保存部Ｂ（７Ａ）にも保存する。送信者Ａの映像送受信機器及び受信者Ｂの映像送受信機器は、それぞれ、特殊ファイルと送受信用キーコードの送受信をした結果、図５、図６で示すように送受信先特殊ファイル保存部に特殊ファイルと送受信用キーコードがそれぞれ保存される。
【００３４】
図５は、送信者Ａの送受信先特殊ファイル保存部の構成を示す図である。図６は、受信者Ｂの送受信先特殊ファイル保存部の構成を示す図である。
図５において、５１に示す送信者Ａの送受信先特殊ファイル保存部Ａには、送受信先５２として受信者Ｂ、発行した特殊ファイル５３として特殊ファイルａ、受信した特殊ファイル５４として特殊ファイルｂ、発行したキーコード５５として送受信キーコードａ、受信したキーコード５６として送受信キーコードｂが保存される。
また、５７に示す送信者Ａの送受信先特殊ファイル保存部Ｂには、送信した特殊ファイル５８として特殊ファイルａ、受信した特殊ファイル５９として特殊ファイルｂが保存される。
【００３５】
また、図６において、６１に示す受信者Ｂの送受信先特殊ファイル保存部Ａには、送受信先６２として送信者Ａ、発行した特殊ファイル６３として特殊ファイルｂ、受信した特殊ファイル６４として特殊ファイルａ、発行したキーコード６５として送受信キーコードｂ、受信したキーコード６６として送受信キーコードａが保存される。
また、６７に示す受信者Ｂの送受信先特殊ファイル保存部Ｂには、送信した特殊ファイル６８として特殊ファイルｂ、受信した特殊ファイル６９として特殊ファイルａが保存される。
【００３６】
次に、図３に戻って、送信者Ａの映像送受信機器が画像を受信側Ｂの映像送受信機器に送る場合、まず、送信すべき画像データａと、受信者Ｂの映像送受信機器を選択する（ステップＳ１０２）。
送信者Ａの映像送受信機器は、受信者Ｂの映像送受信機器に画像データを送るために、受信者Ｂの映像送受信機器を特定する。図４において、受信者Ｂの映像送受信機器はステップＳ１００Ｂで受け取った特殊ファイルａと受信者Ｂの映像送受信機器が発行し送信者に通知した特殊ファイルｂを外部からリードできる送信先特殊ファイル保存部Ｂ（７Ｂ）に保存してある。
【００３７】
このため、図３に戻って、送信者Ａの映像送受信機器は受信者に対して配布した、特殊ファイルａと、受信者Ｂの映像送受信機器より受け取っていた特殊ファイルｂをインターネット上で探すことで受信者Ｂの映像送受信機器を特定することができる（ステップＳ１０３）。
【００３８】
送信者Ａの映像送受信機器は、受信者Ｂの映像送受信機器を特定できたら、受信者Ｂの映像送受信機器に対して、画像データａを送信する旨を、特殊ファイルａ、特殊ファイルｂ及び受信者より受け取っていた送受信用キーコードｂ１を一緒につけて通知する。これと同時に、送信者Ａの映像送受信機器は、受信者Ｂの映像送受信機器であることが間違いないかを確認するために、受信者Ｂの映像送受信機器が送信者Ａの映像送受信機器に対して発行した送受信用キーコードａ１の提示を要求する（ステップＳ１０４）。
【００３９】
図４において、受信者Ｂの映像送受信機器は、送信者Ａの映像送受信機器から受け取った特殊ファイルａ、特殊ファイルｂ、送受信用キーコードｂ１を確認する（ステップＳ１０５）。ステップＳ１０５で送信者Ａの映像送受信機器であることを確認できたら、受信者Ｂの映像送受信機器は、送信者Ａの映像送受信機器の要求に従って送受信用キーコードａ１を提示する（ステップＳ１０６Ｂ）。もし、ステップＳ１０５で特殊ファイルａ、特殊ファイルｂ、送受信用キーコードｂ１が一致しない場合は、受信者Ｂの映像送受信機器は、受信を拒絶して終了（ステップＳ１０７）。
【００４０】
図３に戻って、送信者Ａの映像送受信機器は受信者Ｂの映像送受信機器より受け取った送受信用キーコードａ１を確認する（ステップＳ１０８）。ステップＳ１０８で送受信用キーコードａ１が一致しない場合は、送信者Ａの映像送受信機器は送信を拒絶して終了する（ステップＳ１１０）。
【００４１】
ステップＳ１０８で受信者Ｂの映像送受信機器であること確認できたら、送信者Ａの映像送受信機器は著作権監視部１２で著作権的に問題ないことをチェックする。著作権的に問題なければ、送信者Ａの映像送受信機器は画像データを受信者Ｂの映像送受信機器に対して送信する（ステップＳ１１１Ａ）。図４において、受信者Ｂの映像送受信機器は送信者Ａの映像送受信機器から送られてきたデータを受信し、著作権監視部１２で著作権的に問題ないことをチェックする。著作権的に問題なければ、受信者Ｂの映像送受信機器は送受信用の画像蓄積部３Ｂへ画像データを格納する（ステップＳ１１１Ｂ）。
【００４２】
図３において、送信者Ａの映像送受信機器は送信が終了したか否かを判断し（ステップＳ１１２Ａ）、図４において、受信者Ｂの映像送受信機器は受信が終了したか否かを判断する（ステップＳ１１２Ｂ）。ステップＳ１１２Ａで送信者Ａの映像送受信機器は送信が終了し、ステップＳ１１２ｂで受信者Ｂの映像送受信機器は受信が終了したら、最後に、送信者Ａの映像送受信機器及び受信者Ｂの映像送受信機器は新たにアクセス用特殊ファイル発行部５Ａ、５Ｂで特殊ファイルａ’、ｂ’を発行する。
【００４３】
そして、送信者Ａの映像送受信機器及び受信者Ｂの映像送受信機器は、送受信用キーコードも新たに送受信用キーコード発行部１１Ａ、１１Ｂで送受信用キーコード（ａ１’、ｂ１’）を発行し（ステップＳ１１３Ａ，ステップＳ１１３Ｂ、ステップＳ１１４Ａ，ステップＳ１１４Ｂ）、お互いに特殊ファイルと送受信キーコードを更新してすべての転送処理を終了する。
【００４４】
上記の送受信処理例の中に出てくるユニークなファイル名を持つ特殊ファイルに関して以下に説明する。
この特殊ファイルは、動的に変動するＩＰアドレスを持つユーザーの映像送受信機器をインターネット上で特定するためのものである。
そのため、そのようなユニークなファイル名の生成方法に関して例を挙げて説明する。
ここでは、ＩＰアドレスを使用する。ある時間において送信者Ａの映像送受信機器が使用しているＩＰアドレスは世界中で送信者Ａの映像送受信機器以外は使用していない。このため、ＩＰアドレスと、特殊ファイルを生成したときの時間を用いてファイルを作成すれば世界で１つしかないユニークなファイル名を作成することができる。
【００４５】
図７は、インターネット接続による特殊ファイルの生成を示す図である。
図７に示すように、送信者Ａの映像送受信機器が７２で示すＩＰアドレス：12.34.56.789でインターネットに接続していて、７１で示す時刻２００５．０３．１２の１８時５４分１２秒に特殊ファイルａを発行しようとしたとする。このとき、アクセス用特殊ファイル発行部５Ａは７３に示すように入力として時刻２００５．０３．１２の１８時５４分１２秒及びＩＰアドレス：12.34.56.789があったとき、７４に示すような特殊ファイルを生成する。
【００４６】
７４に示すアクセス用特殊ファイル＝123456789-20050312185412である。この特殊ファイルは、ファイル名のみがユニークであれば良いので、発行した後で送信者のＩＰアドレスが変わってしまったとしても問題ないものである。
また、このシステムでは、通信送信相手の映像送受信機器に対して、１つのユニークなファイルを発行するので、お互いのアクセス用特殊ファイルを認識することで、仮にアクセス用特殊ファイルａと同名のファイルが存在していたとしても確実に通信送信相手の映像送受信機器も認識することができる。
【００４７】
また、これ以外に乱数を上記のファイル名に付加しても良い。また、同時に送受信用キーコードを発行することで、第三者による不当なアクセスも防ぐことができる。
上述したような方法で、ファイル転送を行えば、通常の家庭のユーザーが加入しているプロバイダーのように動的なＩＰアドレスが用いられた映像送受信システムでも、簡単に通信送信相手の映像送受信機器を特定することができ、手軽に、かつ安価に映像送受信システムを実現することが可能である。
上述したアクセス用特殊ファイルの生成にはＭＡＣ（Media Access Control）アドレスなどを使用しても良い。その他、家庭にある電話番号等のユニークなコードを使用して実現することが可能である。
【００４８】
以下に、他の実施の形態について説明する。
図８は、他の映像送受信システムの概略構成図である。図１と対応するものには同一の符号を付してある。
図８に示すように、画像データは、映像送受信機器１Ａ本体内部になくても良い。
映像送受信機器１Ａの外部データ入出力部８１に通信用ケーブル８２（ＩＥＥＥ（Institute of Electrical and Electronic Engineers）１３９４やＵＳＢ（Universal Serial Bus））などで接続された、ビデオカメラ８３（ＤＶＤビデオカメラやハードディスクビデオカメラ）に記録媒体に記録されている画像データでもよい。画像データの送受信処理は、上述した先の実施の形態と同様であるが、異なる点は、送信用のファイルの選択時に、上記ビデオカメラ８３（ＤＶＤビデオカメラやハードディスクビデオカメラ）内のファイルを指定する点のみである。
【００４９】
図９は他の映像送受信システムの概略構成図である。図１と対応するものには同一の符号を付してある。
図９に示すように、本映像送受信機器１Ａ自体が撮像部９１を持つビデオカメラ本体であって、撮像部９１により撮像された画像データを用いても良い。
像送受信機器１Ａは、撮像部９１によって取り込まれた画像を画像蓄積部３Ａに保存し、送信時は、そのファイルを指定して、上述した先の実施の形態と同様に送信すればよい。
【００５０】
本実施の形態は、画像転送を行う送信相手の映像送受信機器との間で、お互いを認識できるユニークなファイル名を持つファイルを交換し、インターネット上より見れる場所に、そのファイルをおく。これにより、固定ＩＰアドレスを利用持たない一般のプロバイダーを利用したインターネットへの接続でも、お互いが通信したいときにお互いを認識でき、特定のサーバー等を必要としないためコストもかからず、高画質な画像データのような大容量のファイルの送受信が実現できる。
【００５１】
また、ファイル転送を行う際には、あらかじめお互いに発行しておいた、送受信時に使用するためのアクセスキーを用いることで、誤配信や、不正なアクセスにも対応することができる。
また、携帯用として外出先に映像送受信機器を持ち出して、ビデオカメラや撮像部により画像を撮像して、外出先より画像送受信を行うこともできる。
【００５２】
また、特殊ファイル、送受信アクセスキーを外出用に期限制限をつけて発行し、それをフロッピーやメモリーカード等の外部記憶装置に記憶して持ち歩けば、外出先より別の画像送受信機を使用して画像送信を行うことも可能であるため、携帯性にも優れている。この際、もし外部記憶装置を紛失したとしても、記憶期限を設定しておけば、不正アクセスを防止できる。
上述したように、本実施の形態によれば、特定なユーザー間での高画質、大容量なデータの送受信が間単に、安価に行え、かつ携帯性も優れた映像送受信システムを提供することが可能となる。
【００５３】
なお、本発明は、ここで説明した実施の形態に限定されるものではなく、特許請求の範囲に記載された本発明の要旨を逸脱しない範囲で、種々の変更例を含むものであることは言うまでもない。
【図面の簡単な説明】
【００５４】
【図１】本実施の形態による映像送受信システムの構成を示す図である。
【図２】本実施の形態の映像送受信機器の構成を示すブロック図である。
【図３】画像データの送信処理を示すフローチャートである。
【図４】画像データの受信処理を示すフローチャートである。
【図５】送信者Ａの送受信先特殊ファイル保存部の構成を示す図である。
【図６】受信者Ｂの送受信先特殊ファイル保存部の構成を示す図である。
【図７】インターネット接続による特殊ファイルの生成を示す図である。
【図８】他の映像送受信システムの概略構成図である。
【図９】他の映像送受信システムの概略構成図である。
【符号の説明】
【００５５】
１Ａ、１Ｂ…映像送受信機器、２Ａ、２Ｂ…接続手段、３Ａ、３Ｂ…画像蓄積部、５Ａ、５Ｂ…アクセス用特殊ファイル発行部、６Ａ、６Ｂ…送信先特殊ファイル保存部、７Ｂ…送信先特殊ファイル保存部、８…画像入出力部、９…入力キー、１０…表示部、１１Ａ、１１Ｂ…送受信用キーコード発行部、１２…著作権監視部、１３…インターネット、１５…制御部（ＣＰＵ）
【図１】
2007124532.tif 000003
【図２】
2007124532.tif 000004
【図３】
2007124532.tif 000005
【図４】
2007124532.tif 000006
【図５】
2007124532.tif 000007
【図６】
2007124532.tif 000008
【図７】
2007124532.tif 000009
【図８】
2007124532.tif 000010
【図９】
2007124532.tif 000011